(57)【要約】      （修正有）【課題】効率よく、短時間かつ低コストで、確実な汚染物質の除去を行う筒状構造物の洗浄装置を提供する。【解決手段】煙突１２の径方向に伸縮可能で、内壁に当接し、内径に追従可能で径方向で固定される第１の伸縮手段３４と、径方向に伸縮可能で第１の伸縮手段に対し回転可能な第２の伸縮手段３６と、第１の伸縮手段及び第２の伸縮手段を移動可能にする移動手段３８と、第２の伸縮手段を回転移動させる回転移動手段４０と、第１の伸縮手段と第２の伸縮手段を連動伸縮させる連動手段４２と、第２の伸縮手段の外周位置に取り付けられ、内壁に対し所定距離で位置決めされる複数のノズル１８を有し、研磨剤を混入した高圧の洗浄液をノズルより内壁に対し高圧の洗浄液として噴射させて煙突の内壁を所定深さではつり可能にするアブレシブジェット手段１４と、各ノズルを煙突の軸方向に揺動可能にする揺動手段４４とを有する。【選択図】図２
2005186011.tif 000002
【特許請求の範囲】
【請求項１】
筒状構造物内に挿入可能とされ、前記筒状構造物の径方向に伸縮可能にされ前記筒状構造物の内壁に当接し前記筒状構造物の内径に追従可能にされて前記筒状構造物に対し径方向で固定される第１の伸縮手段と、
前記筒状構造物の径方向に伸縮可能にされると共に、前記第１の伸縮手段に対し回転可能に取り付けられた第２の伸縮手段と、
前記第１の伸縮手段及び第２の伸縮手段を前記筒状構造物の軸方向に移動可能にする移動手段と、
前記第２の伸縮手段を前記筒状構造物の内周に沿って回転移動させる回転移動手段と、
前記第１の伸縮手段の伸縮に応じて前記第２の伸縮手段を伸縮させる連動手段と、
前記第２の伸縮手段の外周位置に取り付けられ、前記第２の伸縮手段の伸縮によって前記筒状構造物の内壁に対し所定距離を持って位置決めされる複数のノズルを有し、前記各ノズルに対し研磨剤を混入した高圧の洗浄液を供給して前記ノズルより前記筒状構造物の内壁に対し前記高圧の洗浄液を噴射させて前記筒状構造物の内壁を所定深さではつり可能にするアブレシブジェット手段と、
前記各ノズルを前記筒状構造物の軸方向に揺動可能にする揺動手段と、
を有することを特徴とする筒状構造物の洗浄装置。
【請求項２】
請求項１において、
前記第２の伸縮手段は、前記第１の伸縮手段の伸縮とは独立して伸縮可能にする独立伸縮駆動手段を有することを特徴とする筒状構造物の洗浄装置。
【請求項３】
請求項１記載の洗浄装置を用いて筒状構造物の内壁のはつり洗浄を行う筒状構造物の洗浄方法であって、
前記筒状構造物の内壁への汚染物の浸透度を検出する工程と、
前記筒状構造物の内壁に前記第１の伸縮手段を当接させて前記筒状構造物の内径に応じて前記第１の伸縮手段を伸縮させる工程と、
前記筒状構造物の内壁に対し所定距離を持って位置決めされる前記複数のノズルを支持した第２の伸縮手段を連動手段により前記第１の伸縮手段の伸縮動作と連動させて伸縮させ、前記筒状構造物の内壁に対して前記ノズルの位置を調整しつつ前記第１の伸縮手段を前記筒状構造物の内周に沿って回転移動させ、かつ、揺動手段により筒状構造物の軸方向に前記ノズルを揺動させつつ、前記アブレシブジェット手段により前記ノズルより研磨剤を混入した高圧の洗浄液を前記筒状構造物の内壁に対して噴射して前記検出した汚染物の浸透度に応じた所定深さで前記筒状構造物の内壁をはつり汚染部分を除去する工程と、
前記移動手段により前記第１の伸縮手段及び第２の伸縮手段を前記筒状構造物の軸方向に移動させて前記ノズルを前記筒状構造物の軸方向に移動させる工程と、
を含むことを特徴とする筒状構造物の洗浄方法。
【請求項４】
請求項３において、
前記筒状構造物の内径が前記第１の伸縮手段の位置と前記第２の伸縮手段の位置とで相違する場合、前記第２の伸縮手段に設けた独立伸縮駆動手段により前記第１の伸縮手段の伸縮とは独立して前記第２の伸縮手段を伸縮させて前記ノズルを対応位置の内壁まで移動させる工程を含むことを特徴とする筒状構造物の洗浄方法。
【発明の詳細な説明】
【技術分野】
【０００１】
本発明は、筒状構造物の洗浄装置及び洗浄方法に関し、特に、煙突や下水管路等の筒状構造物の内壁を洗浄する筒状構造物の洗浄装置及び洗浄方法に関する。
【背景技術】
【０００２】
一般に、清掃工場等においては、煙突の内壁にダイオキシン類が付着しているため、清掃工場等の解体に際しては、解体されたコンクリート片等は産業廃棄物として処理されていた。
【０００３】
そのため、廃棄物等を焼却した際に煙突内に付着した焼却灰に含まれる有害物質を安全な状況で除去し無害化するとともに、煙突を効率よく安全に解体し、それら解体材料をリサイクルできるようにした廃棄物焼却施設の煙突解体システムが提供されている（特許文献１参照）。
【０００４】
この廃棄物焼却施設の煙突解体システムは、煙突の頂部から煙突内に吊持された本体から煙突の内壁面に向けて位置調整しながら高圧水を噴射して内壁面に付着した焼却灰を洗浄除去するようになっている。
【特許文献１】特開２００３−２４０２２５号公報
【発明の開示】
【発明が解決しようとする課題】
【０００５】
前述の煙突解体システムにあっては、高圧水噴射手段によって煙突の内壁面に向けて高圧水を噴射して内壁面に付着した焼却灰を洗浄除去するようになっており、この状態では、内壁面に付着した表面の焼却灰を洗浄除去することはできるものの、内壁の内部にダイオキシン類が浸透している場合には、完全に除去することはできず、内部に浸透したダイオキシン類を残した状態では、解体材料をリサイクルすることもできないという問題がある。
【０００６】
また、高圧水噴射手段から噴射される高圧水の内壁面に対する噴射範囲は狭く、洗浄に時間がかかり、施工時間が長く、効率的でない上に、費用もかかってしまうという問題がある。
【０００７】
本発明の目的は、効率よく、短時間かつ低コストで、確実な汚染物質の除去を行うことのできる筒状構造物の洗浄装置及び洗浄方法を提供することにある。
【０００８】
本発明の他の目的は、筒状構造物の内径の変化に対してより確実に対応することのできる筒状構造物の洗浄装置及び洗浄方法を提供することにある。
【課題を解決するための手段】
【０００９】
前記目的を達成するため、本発明の筒状構造物の洗浄装置は、筒状構造物内に挿入可能とされ、前記筒状構造物の径方向に伸縮可能にされ前記筒状構造物の内壁に当接し前記筒状構造物の内径に追従可能にされて前記筒状構造物に対し径方向で固定される第１の伸縮手段と、
前記筒状構造物の径方向に伸縮可能にされると共に、前記第１の伸縮手段に対し回転可能に取り付けられた第２の伸縮手段と、
前記第１の伸縮手段及び第２の伸縮手段を前記筒状構造物の軸方向に移動可能にする移動手段と、
前記第２の伸縮手段を前記筒状構造物の内周に沿って回転移動させる回転移動手段と、
前記第１の伸縮手段の伸縮に応じて前記第２の伸縮手段を伸縮させる連動手段と、
前記第２の伸縮手段の外周位置に取り付けられ、前記第２の伸縮手段の伸縮によって前記筒状構造物の内壁に対し所定距離を持って位置決めされる複数のノズルを有し、前記各ノズルに対し研磨剤を混入した高圧の洗浄液を供給して前記ノズルより前記筒状構造物の内壁に対し前記高圧の洗浄液を噴射させて前記筒状構造物の内壁を所定深さではつり可能にするアブレシブジェット手段と、
前記各ノズルを前記筒状構造物の軸方向に揺動可能にする揺動手段と、
を有することを特徴とする。
【００１０】
また、本発明の筒状構造物の洗浄方法は、前述の洗浄装置を用いて筒状構造物の内壁のはつり洗浄を行う筒状構造物の洗浄方法であって、
前記筒状構造物の内壁への汚染物の浸透度を検出する工程と、
前記筒状構造物の内壁に前記第１の伸縮手段を当接させて前記筒状構造物の内径に応じて前記第１の伸縮手段を伸縮させる工程と、
前記筒状構造物の内壁に対し所定距離を持って位置決めされる前記複数のノズルを支持した第２の伸縮手段を連動手段により前記第１の伸縮手段の伸縮動作と連動させて伸縮させ、前記筒状構造物の内壁に対して前記ノズルの位置を調整しつつ前記第１の伸縮手段を前記筒状構造物の内周に沿って回転移動させ、かつ、揺動手段により筒状構造物の軸方向に前記ノズルを揺動させつつ、前記アブレシブジェット手段により前記ノズルより研磨剤を混入した高圧の洗浄液を前記筒状構造物の内壁に対して噴射して前記検出した汚染物の浸透度に応じた所定深さで前記筒状構造物の内壁をはつり汚染部分を除去する工程と、
前記移動手段により前記第１の伸縮手段及び第２の伸縮手段を前記筒状構造物の軸方向に移動させて前記ノズルを前記筒状構造物の軸方向に移動させる工程と、
を含むことを特徴とする。
【００１１】
これらの発明によれば、アブレシブジェット手段よりノズルより研磨剤を混入した高圧の洗浄液を筒状構造物の内壁に対して噴射して汚染物の浸透度に応じた所定深さで構造物の内壁をはつり汚染部分を除去することで、確実かつ完全な汚染物質の除去を行うことができ、しかも、洗浄液を噴射するノズルを筒状構造物の軸方向に揺動させることで、筒状構造物の内壁に対する洗浄液の噴射範囲を広げ、効率よく、短時間かつ低コストで洗浄を行うことができる。
【００１２】
本発明の筒状構造物の洗浄装置においては、前記第２の伸縮手段は、前記第１の伸縮手段の伸縮とは独立して伸縮可能にする独立伸縮駆動手段を有するものとすることができる。
【００１３】
また、本発明の筒状構造物の洗浄方法においては、前記筒状構造物の内径が前記第１の伸縮手段の位置と前記第２の伸縮手段の位置とで相違する場合、前記第２の伸縮手段に設けた独立伸縮駆動手段により前記第１の伸縮手段の伸縮とは独立して前記第２の伸縮手段を伸縮させて前記ノズルを対応位置の内壁まで移動させる工程を含むものとすることができる。
【００１４】
これらのような構成とすることにより、独立伸縮駆動手段により第２の伸縮手段を第１の伸縮手段とは独立して伸縮させることで、筒状構造物の内径が第１の伸縮手段の位置と第２の伸縮手段の位置とで相違する場合であっても筒状構造物の内径の変化に対してより確実に対応することができ、より確実かつ完全な汚染物質の除去を行うことができる。
【発明を実施するための最良の形態】
【００１５】
以下、本発明の実施の形態について、図面を参照して詳細に説明する。
【００１６】
図１〜図６は、本発明の一実施の形態に係る筒状構造物の洗浄装置を示す図である。
【００１７】
図１は、清掃工場の解体工事において、解体前にダイオキシン類に汚染された付着物を除去する状態を示す全体概略図で、洗浄装置１０を用いて筒状構造物である煙突１２の内壁を洗浄するようにしている。
【００１８】
洗浄装置１０は、煙突１２の上方から吊り下げられて煙突１２内に挿入され、煙突１２の内壁を上方から下方にかけて洗浄を行うようになっている。
【００１９】
この洗浄装置１０による洗浄は、アブレシブジェット手段１４によって行われるようになっている。
【００２０】
このアブレシブジェット手段１４は、アブレシブジェットポンプ１６より洗浄装置１０に取り付けたノズル１８に研磨剤を混入した洗浄液を供給し、ノズル１８より煙突の内壁に対し高圧の洗浄液を噴射させて煙突１２の内壁を所定深さではつり、内壁の洗浄を行うようになっている。
【００２１】
洗浄後の洗浄液は、浄化処理部２０を経て浄化された後、再びアブレシブジェットポンプ１６によりノズル１８に供給されて再利用されるようになっている。
【００２２】
浄化処理部２０は、煙突１２の底部に溜まった洗浄後の洗浄液をポンプ２２により原水層２４に取り出し、この原水層２４内の洗浄液をポンプ２６にて沈殿処理層２８に送り、この沈殿処理層２８にて凝集剤を添加し汚染物質を強制沈殿させ、その上澄み液を貯留槽３０に取り出して、貯留槽３０からポンプ３２によりアブレシブジェットポンプへと供給するようになっている。
【００２３】
汚染物質であるダイオキシンは、洗浄液、例えば水に溶融しないため、沈殿処理層２８で強制沈殿処理することにより上澄み液は汚染されていない状態となり、再利用可能となる。
【００２４】
沈殿処理層２８としては、例えばシックナを用いることができる。
【００２５】
また、煙突１２は、下方から上方にかけて断面が縮径するテーパのついた円筒形状となっているため、洗浄装置１０は、煙突１２の内径に追従可能にされている。
【００２６】
この洗浄装置１０の詳細を、図２に基づいて説明する。
【００２７】
この洗浄装置１０は、第１の伸縮手段３４と、第２の伸縮手段３６と、移動手段３８と、回転移動手段４０と、連動手段４２と、アブレシブジェット手段１４と、揺動手段４４と、独立伸縮手段４５とを有する。
【００２８】
第１の伸縮手段３４は、煙突１２内に挿入可能とされ、煙突１２の径方向に伸縮可能にされるもので、支持筒５０の外周に、図４に示すように、４つの伸縮アーム４８を９０゜間隔で支持させるようにしている。
【００２９】
各伸縮アーム４８は、一対のアーム４６ａ、４６ｂを中央位置で回転可能に連結した状態となっており、一方のアーム４６ａの基端部が支持筒５０に固定した取付片５２に回転可能に取り付けられ、他方のアーム４６ｂの基端部が支持筒５０に嵌装したスライド部材５４に回転可能に取り付けられている。
【００３０】
また、一方のアーム４６ａの他端部は連結アーム５６の上端部に回転可能に取り付けられ、他方のアーム４６ｂの他端部は連結アーム５６の下端部にスライド可能かつ回転可能に取り付けられている。
【００３１】
連結アーム５６の上下端には、煙突１２の内壁に当接可能にローラ５８が取り付けられており、このローラ５８は第１の伸縮手段３４の煙突１２内における軸方向での移動を許し、軸周りでの回転を阻止し、第１の伸縮手段３４が径方向で固定されるようになっている。
【００３２】
そして、取付片５２とスライド部材５４との間に油圧シリンダ等の伸縮駆動手段６０が設けられ、この伸縮駆動手段６０の駆動によって伸縮アーム４８が伸縮して煙突１２の内径の変化に追従しうるようになっている。
【００３３】
第２の伸縮手段３６は、煙突１２の径方向に伸縮可能にされ、第１の伸縮手段３４に対して回転可能にされるもので、支持筒５０内を貫通して支持筒５０の下端より突出する回転軸６２の外周に、図５に示すように、２つの伸縮アーム６４を１８０゜の間隔で支持させるようにしている。
【００３４】
各伸縮アーム６４は、第１の伸縮手段３４の場合とほぼ同様の構成で、中央位置で回転可能に連結された一対のアーム４６ａ、４６ｂの内、一方のアーム４６ａの基端部が回転軸６２に固定した取付片６５に回転可能に取り付けられ、他方のアーム４６ｂの基端部が支持筒５０に嵌装したスライド部材６６に回転可能に取り付けられている。
【００３５】
また、一方のアーム４６ａの他端部は連結アーム５６の上端部に回転可能に取り付けられ、他方のアーム４６ｂの他端部は連結アーム５６の下端部側にスライド可能かつ回転可能に取り付けられている。
【００３６】
移動手段３８は、第１の伸縮手段３４及び第２の伸縮手段３６を煙突１２の軸方向（上下方向）に移動可能にするもので、ウィンチ等により支持筒５０をワイヤー６８で吊り下げることで、第１の伸縮手段３４及び第２の伸縮手段３６を吊り下げ支持して、軸方向に移動可能にしている。
【００３７】
回転移動手段４０は、第２の伸縮手段３６を煙突１２の内周に沿って回転移動させるもので、回転軸６２の上端でギア７０ａ、７０ｂを介して回転軸６２と連結した油圧モータ７２により回転軸６２を回転駆動することで第２の伸縮手段３６を回転可能にしている。
【００３８】
また、油圧モータ７２は、正逆転可能となっており、ギア７０ｂの上方には正逆転角度近接センサ７４が設けられ、この正逆転角度近接センサ７４によって回転角度を検出して油圧モータ７２の回転を１８０゜ごと正逆転を行うようになっている。
【００３９】
連動手段４２は、第１の伸縮手段３４の伸縮に応じて第２の伸縮手段３６を伸縮させるもので、第１の伸縮手段３４側のスライド部材５４と、第２の伸縮手段３６側のスライド部材６６とを連結棒にて連結することで第１の伸縮手段３４と第２の伸縮手段３６とを連動可能にしている。
【００４０】
アブレシブジェット手段１４は、複数、例えば２つのノズル１８を第２の伸縮手段３６における外周位置、具体的には各伸縮アーム６４の連結アーム５６の下端にノズル先端を外方に向けて取り付け、各ノズル１８にアブレシブジェットポンプ１６からの高圧ジェットホース７５を接続し、第２の伸縮手段３６の伸縮によってノズル１８の先端を煙突１２の内壁に対し所定距離を持って位置決めされている。
【００４１】
そして、第２の伸縮手段３６の回転と共に、各ノズル１８より研磨材を混入した高圧の洗浄液を煙突１２の内壁に対して噴射させて、煙突１２の内壁を所定深さではつるようになっている。
【００４２】
揺動手段４４は、各ノズル１８を煙突１２の軸方向に揺動可能にするもので、各ノズル１８を連結アーム５６に煙突１２の軸方向で回転可能に取り付け、揺動用の油圧モータ７６とノズル１８とを揺動リンク７８にて連結することでノズル１８を揺動させ、ノズル１８からの洗浄水の噴射範囲を広げるようにしている。
【００４３】
独立伸縮駆動手段４５は、第１の伸縮手段３４の伸縮動作とは独立して第２の伸縮手段３６を伸縮させるもので、連動手段４２と第２の伸縮手段３６のスライド部材６６との間に例えば油圧シリンダを取り付けて構成され、この独立伸縮駆動手段４５によりスライド部材６６を下降、上昇させることで、第２の伸縮手段３６を第１の伸縮手段３４とは独立して伸縮させるようにしている。
【００４４】
このようにすることで、第１の伸縮手段３４の位置と第２の伸縮手段３６の位置とで煙突１２の内径が相違する場合や煙突１２の内壁に凹凸がある場合などに容易に対応することができる。
【００４５】
なお、図中８０は油圧ホース、８２は電気ケーブルで、これらは回転軸６２を中空にして、その中空部に配置すするようにしている。
【００４６】
次に、このような洗浄装置１０を用いた煙突の洗浄方法について、図３及び図６を参照して説明する。
【００４７】
まず、煙突１２の内径が比較的小さい場合には、図３に示すように、第１の伸縮手段３４及び第２２の伸縮手段３６に一対のアーム４６ａ、４６ｂからなる伸縮アーム４８を用いる。
【００４８】
洗浄に際しては、まず、煙突１２の内壁へのダイオキシン等の汚染物の浸透度を検出する。
【００４９】
この場合、例えば、煙突１２の壁を切削して円柱状のコアを取り出し、このコアを内壁側から５ｍｍピッチずつスライスして、その表面をかき落とし、かき落とした粉末を検査して浸透度を検出する。
【００５０】
次に、煙突１２内に上方からウィンチ等の移動手段３８により洗浄装置１０を挿入する。
【００５１】
この場合、第１の伸縮手段３４及び第２の伸縮手段３６は縮めた状態としておく。
【００５２】
次いで、第１の伸縮手段３４を伸縮駆動手段６０により延ばして、先端のローラ５８を煙突１２の内壁に当接させ煙突１２の内径に応じて第１の伸縮手段３４を径方向で固定する。
【００５３】
この第１の伸縮手段３４の延ばす動作に伴って連動手段４２を介し第２の伸縮手段３６が煙突１２の内壁に向かって延びていき、第１の伸縮手段３４のローラ５８が煙突１２の内壁に当接した状態で、第２の伸縮手段３６の外周位置に取り付けられた各ノズル１８の先端が、煙突１２の内壁に対し所定距離をもって位置決めされる。
【００５４】
次に、第１の伸縮手段３４を回転移動手段４０により煙突１２の内周に沿って回転移動させ、かつ、揺動手段４４により煙突１２の軸方向にノズル１８を揺動させつつ、アブレシブジェット手段１４によりアブレシブジェットポンプ１６からノズル１８に研磨材を混入した高圧の洗浄液を供給してノズル１８より煙突１２の内壁に対して洗浄液を噴射し、検出した汚染物の浸透度に応じた所定深さで煙突１２の内壁をはつり、汚染部分を除去する。
【００５５】
この場合、ノズル１８は、回転移動手段４０により１８０゜毎正逆転を行うため、周方向において確実にはつりを行うことができ、かつ、揺動手段４４によりノズル１８が所定角度で揺動するため、ノズル１８が固定されている場合に比し、軸方向で広範囲のはつりを効率よく行うことができる。
【００５６】
また、ノズル１８の先端と煙突１２の内壁との離間距離は、１０ｃｍ〜３０ｃｍ、好ましくは、１５ｃｍ〜２５ｃｍ程度としている。
【００５７】
次いで、最初の１周のはつりが終了した状態で移動手段３８により洗浄装置１０をはつり幅分だけ下げ、次のはつりを行い、第１の伸縮手段３４を若干延ばして順次この状態を繰り返すと、図３（１）に示す煙突１２の上端付近から同図（２）に示す煙突１２の底部付近まで、煙突１２の内径に応じたはつり作業を確実に行うことができる。
【００５８】
ここで、例えば、離間距離２０ｃｍ、揺動によるはつり幅１０ｃｍ、アブレシブジェットポンプ１６の最大吐出圧力６０ＭＰａ、ノズル移動速度３．０ｍ／ｍｉｎ、ノズルスライド幅５ｃｍ、はつり深さ約１ｃｍの場合、１日あたりのはつり面積は約８０ｍ2となる。
【００５９】
また、第１の伸縮手段３４の位置と第２の伸縮手段３６の位置とで煙突１２の内径が大きく相違していたり、煙突の内壁に凹凸があったりした場合には、第２の伸縮手段３６に設けた独立伸縮駆動手段４５により第１の伸縮手段３４の伸縮とは独立して第２の伸縮手段３６を伸縮させて、ノズル１８を対応位置の内壁まで移動させる。
【００６０】
これによって、煙突１２の内壁の径の変化や、凹凸等に容易に対応し得ることとなる。
【００６１】
次に、比較的大きな内径の煙突１２を洗浄する場合、図６に示すように、第１の伸縮手段３４及び第２の伸縮手段３６の伸縮アーム４８に、さらに一対のアーム４６ａ、４６ｂを追加し、同図（１）の煙突１２の上端側から同図（２）の煙突底部の内径に十分に対応し得るようにする。
【００６２】
本発明は、前記実施の形態に限定されるものではなく、本発明の要旨の範囲内において種々の形態に変形可能である。
【００６３】
例えば、前記実施の形態では、円筒状構造物として煙突を示したが、この例に限られるものではなく、水道管等の横型の円筒状構造物にも適用することができ、この場合、洗浄装置を横型にして用いればよい。
【００６４】
また、前記実施の形態では、ウインチ等の移動手段にて洗浄装置を吊り下げ移動させるようにしているが、この例に限らず、例えば、円筒状構造物内に軸方向に沿ってパイプやロッドを配設し、それに沿って洗浄装置を移動させるようにしてもよく、あるいは、円筒状構造物の内外でループ状にワイヤを配設し、このワイヤを移動させることで、ワイヤに取り付けた洗浄装置を移動させるようにすることもできる。
【００６５】
さらに、第１の伸縮手段及び第２の伸縮手段は、一対のアームを中央位置で回転可能に取り付けた伸縮アームにより伸縮させるようにしているが、この例に限らず、ジャッキ等の伸縮手段を用いることも可能である。
【００６６】
また、第２の伸縮手段の伸縮アームの数を増やし、ノズルの本数を増加させてもよい。
【００６７】
さらに、煙突内には通常耐火レンガが積み上げられているので、耐火レンガの洗浄も洗浄装置によって行われるようになっている。
【図面の簡単な説明】
【００６８】
【図１】本発明の一実施の形態に係る洗浄装置を用いて清掃工場の解体工事において解体前にダイオキシン類に汚染された付着物を除去する状態を示す全体概略図である。
【図２】図１の洗浄装置の拡大正面図である。
【図３】比較的小径の煙突の内壁を洗浄する状態を示すもので、（１）は煙突上端部付近の断面図、（２）は煙突底部付近の断面図である。
【図４】図３（１）のＡ−Ａ線に沿う断面図である。
【図５】図３（１）のＢ−Ｂ線に沿う断面図である。
【図６】比較的大きな内径の煙突の内壁を洗浄する状態を示すもので、（１）は煙突上端部付近の断面図、（２）は煙突底部付近の断面図である。
【符号の説明】
【００６９】
１０  洗浄装置
１２  煙突
１４  アブレシブジェット手段
１８  ノズル
３４  第１の伸縮手段
３６  第２の伸縮手段
３８  移動手段
４０  回転移動手段
４２  連動手段
４４  揺動手段
４５  独立伸縮駆動手段
【図１】
2005186011.tif 000003
【図２】
2005186011.tif 000004
【図３】
2005186011.tif 000005
【図４】
2005186011.tif 000006
【図５】
2005186011.tif 000007
【図６】
2005186011.tif 000008